(57)【要約】      （修正有）【課題】家庭などでも簡便に出来るゴムチューブを利用したトレーニング器であって、トレーニングシューズに直にゴムチューブを簡単に装着できるようにしたものである。【解決手段】運動靴などシューズの底面に縦と横に中央で十字型に交差するベルトを設け、この十字ベルトの前後先端及び両側にベルトの端部を折り曲げて形成した輪３をそれぞれ設け、これら輪３のいずれか一方にゴムチューブ４の両端に設けたフック５の一方を係止し、他方のフックを固定物に掛け止めして足の牽引運動をするようにしたものである。またゴムチューブ４の他方のフックを固定物であるトレーニング用台座の前後の脚の基部近傍の両側に設けた係止環１１のいずれかに掛け止めするようにした。【選択図】図５
0003118436.tif 000002
【実用新案登録請求の範囲】
【請求項１】
運動靴などシューズ（１）の底面に縦と横に中央で十字型に交差するベルト（２）を設け、この十字ベルト（２）の前後先端及び両側にベルト（２）の端部を折り曲げて形成した輪（３）をそれぞれ設け、これら輪（３）のいずれか一方にゴムチューブ（４）の両端に設けたフック（５）の一方を係止し、他方のフック（５ａ）を固定物に掛け止めして足の牽引運動をするようにした筋力アップトレーニングシューズ。
【請求項２】
前記ゴムチューブ（４）の他方のフック（５ａ）を前記固定物であるトレーニング用台座（６）の前後の脚（７、８）の基部近傍の両側に設けた係止環（１１）のいずれかに掛け止めするようにした請求項１記載の筋力アップトレーニングシューズ。
【考案の詳細な説明】
【技術分野】
【０００１】
本考案は、下半身の筋力向上を図るトレーニング用具に関し、特に大腿部、脚部、腰部等の筋肉を鍛錬、強化するトレーニング器に関するものである。
【背景技術】
【０００２】
家庭などでも簡便に出来るゴムチューブを利用したトレーニング器が下記の特許文献に開示されている。特許文献１のものは、引っ張り棒と両端に輪のあるゴムチューブを用いて輪環を足に掛けて引っ張り棒または他方の輪を引くことにより筋力アップを図るものであり、特許文献２のものは、運動靴などを嵌めこむ輪の上面及びと側面にゴムチューブの先端を掛けるリングを設けたものであり、また特許文献３のものは、矩形のフレーム内にゴムチューブを設け、このゴムチューブに足や手を掛けて引っ張って筋力アップを図るようにしたものである。
【特許文献１】実開昭５７―６４３６１号公報
【特許文献２】特開平１０―５７４３２号公報
【特許文献３】特開２００２―５２０９０号公報
【考案の開示】
【考案が解決しようとする課題】
【０００３】
本考案は、先行例と同様に家庭などでも気軽にそして簡便に出来るゴムチューブを用いたトレーニング器であって、トレーニングシューズに直にゴムチューブを簡単に装着できるようにしたものである。  
【課題を解決するための手段】
【０００４】
本考案の筋力アップシューズは、請求項１記載のように、運動靴などシューズ１の底面に縦と横に中央で十字型に交差するベルト２を設け、この十字ベルト２の前後先端及び両側にベルト２の端部を折り曲げて形成した輪３をそれぞれ設け、これら輪３のいずれか一方にゴムチューブ４の両端に設けたフック５の一方を係止し、他方のフック５ａを固定物に掛け止めして足の牽引運動をするようにしたものである。
【０００５】
また請求項２記載のように、前記ゴムチューブ４の他方のフック５ａを前記固定物であるトレーニング用台座６の前後の脚７、８の基部近傍の両側に設けた係止環１１のいずれかに掛け止めするようにしたこと等を特徴としている。
【考案の効果】
【０００６】
トレーニングシューズを直に足に履いてトレーニングを行うので違和感がなくゴムチューブの弾力がバランスよく直接伝達され、下半身の筋力アップがスムースに効果的に行うことが出来る。またゴムチューブとシューズの連結が簡単であり、何時でも気軽に筋力アップトレーニングをすることが出来る。専用の台座を用いれば更に簡便に家庭でもトレーニングが出来るなどの効果がある。
【考案を実施するための最良の形態】
【０００７】
本考案、筋力アップトレーニング器の最良の実施形態は、運動靴などシューズ１の底面に縦と横に中央で十字型に交差する強靭なベルト２を設け、この十字ベルト２の前後及び両側にベルトの端部を折り曲げて形成した輪３をそれぞれ設け、この輪３に強力なゴムチューブ４の両端に設けたフック５の一方を係止し、他方のフック５ａを固定物に掛け止めして足の牽引運動をするようにしたものである。
【実施例１】
【０００８】
本考案の好適なひとつの実施例を図面に基づき説明する。本考案の筋力アップトレーニング器は、図１に示すように運動靴などシューズ１の底面に縦と横に中央で十字型に交差する強靭なベルト２を設け、この十字ベルト２の前後及び両側にベルトの端部を折り曲げて形成した輪３をそれぞれ設け、この輪３に強力なゴムチューブ４の両端に設けたフック５の一方を係止し、他方のフック５ａを柱や大きなテーブル等動かない固定物に掛け止めして足の牽引運動をするようにした。
【０００９】
また前記固定物のひとつであるトレーニング用の台座６は図４に示すように、Ｔ字型の前後の脚７、８と座部９及びハンドル１０からなり前後の脚７、８の基部近傍の両側に係止環１１を各設けて前記ゴムチューブ４の他方のフック５ａを掛けるようにしたものである。
【００１０】
かかる構成のトレーニン台座６を用いて脚部、大腿部の筋力強化を行う場合は、図５に示すようにシューズ１の爪先の輪３にゴムチューブ４のフック５を掛け、他方のフック５ａを台座の前方脚７の係止環１１に掛け止めし、台座６に腰掛け、踵方向に足でゴムチューブを引っ張るようにする。膝を伸ばして実施した場合は、大腿二頭筋、半模様筋、半腱用筋様筋、腸腰筋、背筋、腹筋等の筋力を鍛えることが出来る。また膝を曲げて実施した場合は、腓腹筋、ヒラメ筋、アキレス腱、大腿二頭筋等の筋力を鍛えることが出来る。
【００１１】
またシューズ１の踵側の輪３にゴムチューブ４のフック５を掛け、他方のフック５ａを台座６の後脚８の係止環１１に掛け止めし、台座６に腰掛け、爪先方向に足でゴムチューブを引っ張るようにする。膝を伸ばして実施した場合、大腿四頭筋、腸腰筋、背筋、腹筋等の筋力を鍛えることが出来る。また膝を曲げて実施した場合、前頸骨筋、長指伸筋、長腓骨筋等の筋力を鍛えることが出来る。
【００１２】
シューズ１の右側の輪環３にゴムチューブ４のフック５を掛け、他方のフック５ａを台座の前脚７右側方の係止環１１に掛け止めする。そして台座６の側面に右足で立ち、左足で左方向に引っ張る。またこれとは逆に左側に立ちゴムチューブを接続して右方向に足で引っ張ると内股筋、外股筋、足首、膝関節・靱帯等の筋力を鍛えることが出来る。
【図面の簡単な説明】
【００１３】
【図１】本考案、筋力アップシューズの正面図である。
【図２】図１の底面図である。
【図３】ゴムチューブの斜視図である。
【図４】トレーニング用専用台座である。
【図５】使用状態説明図である。
【符号の説明】
【００１４】
１  シューズ
２  十字ベルト２
３  十字ベルト２端部の輪
４  ゴムチューブ
５  フック
６  トレーニング用台座
７  前脚
８  後脚
９  座部
１０  ハンドル
１１  係止環
【図１】
0003118436.tif 000003
【図２】
0003118436.tif 000004
【図３】
0003118436.tif 000005
【図４】
0003118436.tif 000006
【図５】
0003118436.tif 000007